(57)【要約】【課題】コンピュータに携帯情報機器を接続することを忘れたために、データの同期がとられないことを防止するコンピュータと携帯情報機器との間のデータの同期方式を提供する。【解決手段】携帯情報機器載置／不載置検出部１０１が、載置部に携帯情報機器が載置されたことを検出したときに、携帯情報機器固有情報検出部１０２が携帯情報機器２００から読み込んだ携帯情報機器固有情報がコンピュータ１００に登録されている携帯情報機器固有情報と一致するか否かを判断し、一致していればコンピュータ１００を稼働状態にし、同期部１０７と同期部２０３によるデータ１０８とデータ２０４との間の同期を開始する。【選択図】　　　　図１
2004021708.tif 000002
【特許請求の範囲】
【請求項１】
コンピュータ側部と携帯情報機器側部とを備え、
前記コンピュータ側部は、
載置部に携帯情報機器が載置され又はコンピュータに前記携帯情報機器が有線若しくは無線で接続された否かを検出する手段と、
前記携帯情報機器が前記載置部に載置されたこと又は前記コンピュータに有線若しくは無線で接続されたことが検出されたときに、前記携帯情報機器側部の携帯情報機器固有情報保持手段が保持する携帯情報機器固有情報を読み出す手段と、
読み出された前記携帯情報機器固有情報が前記コンピュータに登録されている携帯情報機器固有情報と一致するか否かを検出する手段と、
少なくとも読み出された前記携帯情報機器固有情報が前記コンピュータに登録されている携帯情報機器固有情報と一致することが判断されたときに、前記コンピュータを稼働状態にする手段と、
前記コンピュータが稼働状態になったときに、前記コンピュータの保持するデータと前記携帯情報機器の保持するデータとが一致するように前記携帯情報機器側部の同期手段と協働して両データの同期をとる同期手段と、
を備え、
前記携帯情報機器側部は、
前記携帯情報機器固有情報を保持する携帯情報機器固有情報保持手段と、
前記コンピュータが稼働状態になったときに、前記コンピュータの保持するデータと前記携帯情報機器の保持するデータとが一致するように前記コンピュータ側部の同期手段と協働して両データの同期をとる同期手段と、
を備えることを特徴とするコンピュータと携帯情報機器との間のデータの同期方式。
【請求項２】
請求項１に記載のコンピュータと携帯情報機器との間のデータの同期方式において、
前記コンピュータ側部は、
コンピュータの電源投入スイッチが操作されたか否かを検出する手段を更に備え、
前記載置部に前記携帯情報機器が載置され又は前記コンピュータに前記携帯情報機器が有線若しくは無線で接続された否かを検出する手段は、前記コンピュータの前記電源投入スイッチが操作されたときに、前記載置部に前記携帯情報機器が載置され又は前記コンピュータに前記携帯情報機器が有線若しくは無線で接続された否かを検出することを特徴とするコンピュータと携帯情報機器との間のデータの同期方式。
【請求項３】
載置部に携帯情報機器が載置され又は当該コンピュータに前記携帯情報機器が有線若しくは無線で接続された否かを検出する手段と、
前記携帯情報機器が前記載置部に載置されたこと又は当該コンピュータに有線若しくは無線で接続されたことが検出されたときに、前記携帯情報機器が保持する携帯情報機器固有情報を読み出す手段と、
読み出された前記携帯情報機器固有情報が当該コンピュータに登録されている携帯情報機器固有情報と一致するか否かを検出する手段と、
少なくとも読み出された前記携帯情報機器固有情報が前記コンピュータに登録されている携帯情報機器固有情報と一致することが判断されたときに、当該コンピュータを稼働状態にする手段と、
当該コンピュータが稼働状態になったときに、当該コンピュータの保持するデータと前記携帯情報機器の保持するデータとが一致するように前記携帯情報機器の同期手段と協働して両データの同期をとる同期手段と、
を備えることを特徴とするコンピュータ。
【請求項４】
請求項３に記載のコンピュータにおいて、
当該コンピュータの電源投入スイッチが操作されたか否かを検出する手段を更に備え、
前記載置部に前記携帯情報機器が載置され又は前記コンピュータに前記携帯情報機器が有線若しくは無線で接続された否かを検出する手段は、前記コンピュータの前記電源投入スイッチが操作されたときに、前記載置部に前記携帯情報機器が載置され又は前記コンピュータに前記携帯情報機器が有線若しくは無線で接続された否かを検出することを特徴とするコンピュータ。
【請求項５】
載置部に携帯情報機器が載置され又はコンピュータに前記携帯情報機器が有線若しくは無線で接続された否かを検出するステップと、
前記携帯情報機器が前記載置部に載置されたこと又は前記コンピュータに有線若しくは無線で接続されたことが検出されたときに、前記携帯情報機器側部が保持する携帯情報機器固有情報を読み出すステップと、
読み出された前記携帯情報機器固有情報が前記コンピュータに登録されている携帯情報機器固有情報と一致するか否かを検出するステップと、
少なくとも読み出された前記携帯情報機器固有情報が前記コンピュータに登録されている携帯情報機器固有情報と一致することが判断されたときに、前記コンピュータを稼働状態にするステップと、
前記コンピュータが稼働状態になったときに、前記コンピュータの保持するデータと前記携帯情報機器の保持するデータとが一致するように前記携帯情報機器側と協働して両データの同期をとるステップと、
を有することを特徴とするコンピュータと携帯情報機器との間のデータの同期方法。
【請求項６】
請求項５に記載のコンピュータと携帯情報機器との間のデータの同期方法において、
前記コンピュータの電源投入スイッチが操作されたか否かを検出するステップを更に有し、
前記載置部に前記携帯情報機器が載置され又は前記コンピュータに前記携帯情報機器が有線若しくは無線で接続された否かを検出するステップは、前記コンピュータの前記電源投入スイッチが操作されたときに、実行されることを特徴とするコンピュータと携帯情報機器との間のデータの同期方法。
【請求項７】
請求項５又は６に記載のコンピュータと携帯情報機器との間のデータの同期方法をコンピュータに実行させるためのプログラム。
【発明の詳細な説明】
【０００１】
【発明の属する技術分野】
本発明は、コンピュータの電源投入方式に関する。また、本発明は、スケジュールデータ等のコンピュータと携帯情報機器との間のデータの同期方式に関する。
【０００２】
【従来の技術】
近年普及しているパーソナルコンピュータ等のコンピュータ及びＰＤＡ（Ｐｅｒｓｏｎａｌ　Ｄｉｇｉｔａｌ　Ａｓｓｉｓｔａｎｔ）等の携帯情報機器は、共に、行うべき仕事のデータ（以下、「タスクデータ」という。）、スケジュールデータ、電子メールデータ等を保持し、コンピュータ及び携帯情報機器に組み込まれたソフトウェアによりこれらのデータを入力、編集、表示できるようになっている。また、コンピュータ及び携帯情報端末は、インターネットと接続し、電子メールの送受信することもできる。
【０００３】
ここで、コンピュータと携帯情報機器との間で、タスクデータ、スケジュールデータ、電子メールデータ等を同期させるためのソフトウェア及び機器も存在する。すなわち、コンピュータに携帯情報機器をＵＳＢ（Ｕｎｉｖｅｒｓａｌ　Ｓｅｒｉａｌ　Ｂｕｓ）等により接続するためのケーブル及びクレードルをコンピュータに接続しておき、ユーザがクレードルに携帯情報機器を置いた時に、コンピュータに存在するタスクデータ、スケジュールデータ、電子メール等を携帯情報機器に存在するこれらのデータと比較し、両者が一致するように同期をとる。また、コンピュータに携帯情報機器が接続されている状態で、コンピュータ又は携帯情報機器でタスクデータ、スケジュールデータ、電子メールに変更、追加又は削除があるときにも、両者間で変更、追加又は削除のあったデータの同期をとる。このような同期により、ユーザがコンピュータ及び携帯情報機器のうちの一方に存在するデータのみを更新しても、携帯情報機器及びコンピュータ双方のデータの同期が図られ、コンピュータ及び携帯情報機器間のデータの矛盾を防止することができる。また、コンピュータにあるデータを携帯情報機器にコピーすることともなるので、コンピュータに入力したタスクデータ、スケジュールデータやコンピュータが受信した電子メールデータを外出中に携帯情報機器で確認することができる。更に、外出中に携帯情報機器に入力したタスクデータ、スケジュールデータや携帯情報機器が受信した電子メールデータを職場等でコンピュータで確認したり、印刷したりすることができる。
【０００４】
一方、職場等に設置された各人のコンピュータが他人により勝手に使用されないようにするためには、コンピュータに鍵を付けたり、パスワード入力をログインやスクリーンセーバ終了のための条件としたり、指紋認証装置を用いたりする。
【０００５】
【発明が解決しようとする課題】
ところが、携帯情報機器をクレードルに置いた時に、コンピュータの電源が投入されているならば、データの同期が開始され、携帯情報機器をクレードルに置いた時に、コンピュータの電源が投入されていないならば、その時にはデータの同期は行われず、その後にコンピュータの電源を投入した時に初めてデータの同期が開始される。従って、コンピュータと携帯情報機器との間でデータの同期を取るためには、必ずコンピュータの電源を投入して、稼働状態にしなければならない。従って、コンピュータの電源を投入して、稼働状態にしても携帯情報機器をクレードルに置くことを忘れる場合が生じ、この場合には、職場、家庭等でコンピュータでデータの更新があっても、その更新が携帯情報機器に反映されず、その後に携帯情報機器を携帯して外出しても携帯情報機器に最新のデータが保持されていないという状況になり、せっかくあるデータ同期の機能が用いられないこととなってしまう。
【０００６】
また、コンピュータの錠に鍵を差すことによりセキュリティを確保する方式では、わざわざ専用の錠及びそれに付随する回路をコンピュータに設けなければならず、コストアップを招く。また、利用者がコンピュータの使用を終了しても、鍵を外すことを忘れることがある。
【０００７】
更に、パスワードによりセキュリティを確保する方式では、パスワードを忘れることにより権限を有する者であってもログインすることができなくなることがあり、一方、他人にパスワードを盗まれることにより不正アクセスされてしまう危険がある。
【０００８】
更に、指紋認証装置によりセキュリティを確保する方式では、コストアップを招く。
【０００９】
そこで、本発明は、コンピュータに携帯情報機器を接続することを忘れたために、データの同期がとられないことを防止するコンピュータと携帯情報機器との間のデータの同期方式を提供することを目的とする。
【００１０】
また、本発明は、コンピュータの使用権限についてのセキュリティを確保することを可能とするコンピュータと携帯情報機器との間のデータの同期方式を提供することを目的とする。
【００１１】
【課題を解決するための手段】
本発明によれば、コンピュータ側部と携帯情報機器側部とを備え、前記コンピュータ側部は、載置部に携帯情報機器が載置され又はコンピュータに前記携帯情報機器が有線若しくは無線で接続された否かを検出する手段と、前記携帯情報機器が前記載置部に載置されたこと又は前記コンピュータに有線若しくは無線で接続されたことが検出されたときに、前記携帯情報機器側部の携帯情報機器固有情報保持手段が保持する携帯情報機器固有情報を読み出す手段と、読み出された前記携帯情報機器固有情報が前記コンピュータに登録されている携帯情報機器固有情報と一致するか否かを検出する手段と、少なくとも読み出された前記携帯情報機器固有情報が前記コンピュータに登録されている携帯情報機器固有情報と一致することが判断されたときに、前記コンピュータを稼働状態にする手段と、前記コンピュータが稼働状態になったときに、前記コンピュータの保持するデータと前記携帯情報機器の保持するデータとが一致するように前記携帯情報機器側部の同期手段と協働して両データの同期をとる同期手段と、を備え、前記携帯情報機器側部は、前記携帯情報機器固有情報を保持する携帯情報機器固有情報保持手段と、前記コンピュータが稼働状態になったときに、前記コンピュータの保持するデータと前記携帯情報機器の保持するデータとが一致するように前記コンピュータ側部の同期手段と協働して両データの同期をとる同期手段と、を備えることを特徴とするコンピュータと携帯情報機器との間のデータの同期方式が提供される。
【００１２】
上記のコンピュータと携帯情報機器との間のデータの同期方式において、前記コンピュータ側部は、コンピュータの電源投入スイッチが操作されたか否かを検出する手段を更に備え、前記載置部に前記携帯情報機器が載置され又は前記コンピュータに前記携帯情報機器が有線若しくは無線で接続された否かを検出する手段は、前記コンピュータの前記電源投入スイッチが操作されたときに、前記載置部に前記携帯情報機器が載置され又は前記コンピュータに前記携帯情報機器が有線若しくは無線で接続された否かを検出してもよい。
【００１３】
【発明の実施の形態】
以下、図面を参照して本発明の実施形態について詳細に説明する。
【００１４】
［実施形態１］
図１は、本発明の実施形態１によるコンピュータと携帯情報機器の間のデータの同期方式を示すブロック図である。
【００１５】
図１を参照すると、本同期方式は、コンピュータ１００と情報機器２００に備わる。本同期方式は、コンピュータ１００側には、携帯情報機器載置／不載置出部１０１、携帯情報機器固有情報検出部１０２、電源制御部１０３、電源部１０４、電源供給部１０５、スタンバイ制御部１０６、同期部１０７、電源切断スイッチ１０９、スタンバイスイッチ１１０を備え、携帯情報機器２００側には、携帯情報機器固有情報保持部２０１、電源部２０２、同期部２０３を備える。
【００１６】
携帯情報機器載置／不載置検出部１０１は、図２に示すようなクレードル５０１に携帯情報機器２００が載置されているか否かを検出する。又は、携帯情報機器載置／不載置検出部１０１は、図３に示すような携帯情報機器挿入部５１１に携帯情報機器２００が載置されているか否かを検出する。又は、携帯情報機器載置／不載置検出部１０１は、図４に示すようなコンピュータの標準規格のサイズのスロットに挿入するユニット５２１の載置部５２２に携帯情報機器２００が載置されているか否かを検出する。又は、携帯情報機器載置／不載置検出部１０１は、携帯情報機器２００がコンピュータ１００にＵＳＢケーブル等により有線若しくはＢｌｕｅｔｏｏｔｈ等により無線で接続されたか否かを検出する。携帯情報機器固有情報検出部１０２は、携帯情報機器２００の携帯情報機器固有情報保持部２０１が保持している携帯情報機器固有情報を検出し、コンピュータ１００に登録されている携帯情報機器固有情報と一致するか否かを判断する。所定の携帯情報機器固有情報は、携帯情報機器２００のメーカ、型式及びシリアル番号により定まる番号、通信機能を有する携帯情報機器の場合であれば、そのような番号、ＭＡＣアドレス又はＩＰｖ６のＩＰアドレス等である。電源制御部１０３は、携帯情報機器載置／不載置検出部１０１の検出結果、携帯情報機器固有情報検出部１０２の判断結果及び電源切断スイッチ１０９の操作により電源を投入又は切断する。電源部１０４は、コンピュータ１００の各部に電源を供給する。電源供給部１０５は、携帯情報機器２０２の電源部２０２に電源を供給する。スタンバイ制御部１０６は、携帯情報機器載置／不載置検出部１０１の検出結果、携帯情報機器固有情報検出部１０２の判断結果又はスタンバイスイッチ１１０の操作によりコンピュータ１００のウェークアップ、レジューム及びスタンバイを制御する。同期部１０７は、携帯情報機器２０３の同期部２０３と連動して、コンピュータ１００が保持するデータ１０８と携帯情報機器２０４が保持するデータ２０４の同期を取る。データ１０８、２０４は、上述したように、タスクデータ、スケジュールデータ、電子メールデータ等である。電源切断スイッチ１０９は、ユーザがコンピュータ１００の電源を切断するために操作するスイッチである。スタンバイスイッチ１１０は、ユーザがコンピュータ１００をスタンバイ状態にするためのスイッチである。
【００１７】
携帯情報機器固有情報保持部２０１は、携帯情報機器２００の固有情報（携帯情報機器固有情報）を保持する。電源部２０２は、コンピュータ１００の電源供給部１０５から電源の供給を受け、その電源を携帯情報機器２００の各部に供給すると共に、バッテリを充電する。同期部２０３は、コンピュータ１００の同期部１０７と連動して、コンピュータ１００が保持するデータ１０８と携帯情報機器２０４が保持するデータの同期を取る。
【００１８】
次に、本実施形態による同期方式の携帯情報機器をクレードル等に載置した時の動作を図５を参照して説明する。
【００１９】
状態が不載置であるときには、携帯情報機器載置／不載置検出部１０１が携帯情報機器２００の載置を検出するまで待つ（ステップＳ３０１）。携帯情報機器載置／不載置検出部１０１が携帯情報機器２００の載置を検出したならば、携帯情報機器固有情報検出部１０２は、携帯情報機器固有情報保持部２０１から携帯情報機器固有情報を読み出し（ステップＳ３０２）、読み出した携帯情報機器固有情報がコンピュータに登録されている携帯情報機器固有情報と一致するか否かを判断する（ステップＳ３０３）。両者が不一致である場合には、ステップＳ３０１に戻る。両者が一致している場合には、電源が入っているか否かを判断する（ステップＳ３０４）。電源が入っていなければ、電源制御部１０３は電源を投入し（ステップＳ３０５）、スタンバイ制御部１０６はコンピュータをウェークアップする（ステップＳ３０６）。電源が入っていれば、スタンバイ制御部１０６はコンピュータをレジュームする（ステップＳ３０７）。スタンバイ制御部１０６がウェークアップ又はレジュームを行った後に、状態を載置にして（ステップＳ３０８）、同期部１０７と同期部２０３が連動して、データ１０８とデータ２０４の同期を開始する（ステップＳ３０９）。
【００２０】
なお、固有情報が一致した（ステップＳ３０３でＹＥＳ）後に、ステップＳ３０４に進む前にユーザにパスワードをコンピュータ１００の画面上にコンピュータのキーボードにより入力させ又は携帯情報機器２００の画面上に携帯情報機器２００の入力部（タッチパネル等）により入力させ、パスワードが一致していなければステップＳ３０１に戻り、一致していればステップＳ３０４に進むようにしても良い。
【００２１】
次に、本実施形態による同期方式の携帯情報機器をクレードル等から離した時の動作を図６を参照して説明する。
【００２２】
状態が載置であるときには、携帯情報機器載置／不載置１０１が携帯情報機器２００の不載置を検出し、スタンバイスイッチが操作され、又は電源切断スイッチが操作されるまで待つ（ステップＳ４０１、Ｓ４０７、Ｓ４１１）。ステップＳ４０１、Ｓ４０７及びＳ４１１のループ待ちをしているときに、携帯情報機器載置／不載置１０１が携帯情報機器２００の不載置を検出したならば、状態を不載置にし（ステップＳ４０２）、同期部１０７はデータの同期の終了処理を行い（ステップＳ４０３）、携帯情報機器２００の不載置を検出した時にコンピュータの電源を切断するように予め設定されているか又はその時にコンピュータをスタンバイ状態にするように設定されているか否かを判断する（ステップＳ４０４）。携帯情報機器２００の不載置を検出した時にコンピュータの電源を切断するように予め設定されている場合には、電源制御部１０３がコンピュータの電源を切断し（ステップＳ４０５）、その時にコンピュータをスタンバイ状態にするように設定されている場合には、スタンバイ制御部１０６がコンピュータをスタンバイ状態にする（ステップＳ４０６）。
【００２３】
ステップＳ４０１、Ｓ４０７及びＳ４１１のループ待ちをしているときに、スタンバイスイッチ１１０の操作が検出されたならば、状態を不載置にし（ステップＳ４０８）、同期部１０７はデータの同期の終了処理を行い（ステップＳ４０４）、スタンバイ制御部１０６がコンピュータをスタンバイ状態にする（ステップＳ４１０）。
【００２４】
ステップＳ４０１、Ｓ４０７及びＳ４１１のループ待ちをしているときに、電源切断スイッチ１０９の操作が検出されたならば、状態を不載置にし（ステップＳ４１２）、同期部１０７はデータの同期の終了処理を行い（ステップＳ４１３）、電源制御部１０３がコンピュータの電源を切断する（ステップＳ４１４）。
【００２５】
［実施形態２］
実施形態１では、コンピュータ１００の同期部１０７と携帯情報機器２００の同期部２０３が同期を行っている最中に携帯情報機器がクレードル等から外されてしまう危険があった。実施形態２は、この危険を無くしたものである。
【００２６】
図７は、本発明の実施形態２によるコンピュータと携帯情報機器の間のデータの同期方式を示すブロック図である。図７を図１と比較すると明らかなように、実施形態２による同期方式の構成は、携帯情報機器ロック部１１１が追加されている点が実施形態１のものと異なる。携帯情報機器ロック部１１１は機械的なロックであり、アクチュエータにより携帯情報機器をクレードル等にロックしたり、そのロックを解除（アンロック）したりするものである。
【００２７】
図８は、本発明の実施形態２によるコンピュータと携帯情報機器の間のデータの同期方式の携帯情報機器をクレードル等に載置した時の動作を示すフローチャートである。図８を図５と比較すると明らかなように、実施形態２による同期方式携帯情報機器をクレードル等に載置した時の動作は、ロックのステップ（ステップＳ３１０）がステップＳ３０８の前に挿入されている点が実施形態１のものと異なる。ロックのステップ（ステップＳ３１０）では、携帯情報機器ロック部１１１が携帯情報機器をクレードル等にロックする。
【００２８】
なお、固有情報が一致した（ステップＳ３０３でＹＥＳ）後に、ステップＳ３０４に進む前にユーザにパスワードをコンピュータ１００の画面上にコンピュータのキーボードにより入力させ又は携帯情報機器２００の画面上に携帯情報機器２００の入力部（タッチパネル等）により入力させ、パスワードが一致していなければステップＳ３０１に戻り、一致していればステップＳ３０４に進むようにしても良いのは、実施形態１と同様である。
【００２９】
図９は、本発明の実施形態２によるコンピュータと携帯情報機器の間のデータの同期方式の携帯情報機器をクレードル等から外した時の動作を示すフローチャートである。図９を図６と比較すると明らかなように、実施形態２による同期方式携帯情報機器２００をクレードル等から外した時の動作は、ステップＳ４０１〜Ｓ４０６が削除され、ロックのステップ（ステップＳ４１５）がステップＳ４１０の前に挿入され、他のロックのステップ（ステップＳ４１６）がステップＳ４１４の前に挿入されている点が実施形態１のものと異なる。ステップＳ４０１〜Ｓ４０６が削除されているのは、携帯情報機器２００をクレードル等からアンロックしなければ、携帯情報機器２００をクレードル等からはずせないからである。アンロックのステップ（ステップＳ４１５、Ｓ４１６）では、携帯情報機器ロック部１１１が携帯情報機器をクレードル等からアンロックする。
【００３０】
［実施形態３］
実施形態１及び２では、携帯情報機器２００がクレードル等に載置されたことを契機としてコンピュータ１００の電源の投入等が行われ、データの同期が開始されるが、実施形態３では、電源投入ボタンが押されてから携帯情報機器２００がクレードルに載置された時に、コンピュータ１００の電源投入等が行われ、データの同期が開始される。
【００３１】
図１０は、本発明の実施形態３によるコンピュータと携帯情報機器の間のデータの同期方式を示すブロック図である。図１０を図１と比較すると明らかなように、実施形態３による同期方式の構成は、電源投入スイッチ１１２が追加されている点が実施形態１のものと異なる。
【００３２】
図１１は、本発明の実施形態２によるコンピュータと携帯情報機器の間のデータの同期方式の電源投入スイッチを操作した時の動作を示すフローチャートである。図１１を図５と比較すると明らかなように、実施形態３による同期方式携帯情報機器をクレードル等に載置した時の動作は、ステップＳ３０１〜Ｓ３０４が削除され、ステップＳ５０１〜Ｓ５０４がステップＳ３０５の前に挿入されている点が実施形態１のものと異なる。
【００３３】
状態が不載置であるときには、電源投入スイッチ１１２が操作されるまで待つ（ステップＳ５０１）。電源投入スイッチ１１２が操作されたならば、携帯情報機器載置／不載置検出部１０１が携帯情報機器２００の載置を検出するまで待つ（ステップＳ５０２）。携帯情報機器載置／不載置検出部１０１が携帯情報機器２００の載置を検出したならば、携帯情報機器固有情報検出部１０２は、携帯情報機器固有情報保持部２０１から携帯情報機器固有情報を読み出し（ステップＳ５０２）、読み出した携帯情報機器固有情報がコンピュータに登録されている携帯情報機器固有情報と一致するか否かを判断する（ステップＳ５０３）。両者が不一致である場合には、ステップＳ５０１に戻る。両者が一致している場合には、ステップＳ３０４に進む。ステップＳ３０４以降の動作は実施形態１と同様である。
【００３４】
なお、固有情報が一致した（ステップＳ５０４でＹＥＳ）後に、ステップＳ３０４に進む前にユーザにパスワードをコンピュータ１００の画面上にコンピュータのキーボードにより入力させ又は携帯情報機器２００の画面上に携帯情報機器２００の入力部（タッチパネル等）により入力させ、パスワードが一致していなければステップＳ３０１に戻り、一致していればステップＳ３０４に進むようにしても良いのは実施形態１と同様である。
【００３５】
また、実施形態１に対する実施形態２の追加部分を、実施形態３に追加した実施形態もある。
【００３６】
本実施形態による同期方式の携帯情報機器をクレードル等から離した時の動作は、実施形態１又は２のものと同様である。
【００３７】
【発明の効果】
以上説明したように、本発明によれば、携帯情報機器をクレードル等に載置しないとコンピュータが起動せず、また、コンピュータが起動すると必ずデータの同期が行われるので、コンピュータが起動しているのに携帯情報機器をコンピュータに接続することを忘れて携帯情報機器とコンピュータとの間でデータの同期が取られなくなる事態を未然に防ぐことができる。
【００３８】
また、本発明によれば、携帯情報機器が保持する携帯情報機器固有情報がコンピュータに登録されている携帯情報機器固有情報と一致したときにのみ、コンピュータを起動するようにしているので、コンピュータの使用権限に関するセキュリティを高めることができる。
【図面の簡単な説明】
【図１】本発明の実施形態１によるコンピュータと携帯情報機器との間のデータの同期方式の構成を示すブロック図である。
【図２】本発明の実施形態１によるコンピュータと携帯情報機器との間のデータの同期方式で用いるコンピュータ、携帯情報機器及びクレードル等の例の外観を示す斜視図である。
【図３】本発明の実施形態１によるコンピュータと携帯情報機器との間のデータの同期方式で用いるコンピュータ及び携帯情報機器の他の例の外観を示す斜視図である。
【図４】本発明の実施形態１によるコンピュータと携帯情報機器との間のデータの同期方式で用いるユニットの例の外観を示す斜視図である。
【図５】本発明の実施形態１によるコンピュータと携帯情報機器との間のデータの同期方式の携帯情報機器をクレードル等に載置した時の動作を示すフローチャートである。
【図６】本発明の実施形態１によるコンピュータと携帯情報機器との間のデータの同期方式の携帯情報機器をクレードル等から離した時の動作を示すフローチャートである。
【図７】本発明の実施形態２によるコンピュータと携帯情報機器との間のデータの同期方式の構成を示すブロック図である。
【図８】本発明の実施形態２によるコンピュータと携帯情報機器との間のデータの同期方式の携帯情報機器をクレードル等に載置した時の動作を示すフローチャートである。
【図９】本発明の実施形態２によるコンピュータと携帯情報機器との間のデータの同期方式の携帯情報機器をクレードル等から離した時の動作を示すフローチャートである。
【図１０】本発明の実施形態３によるコンピュータと携帯情報機器との間のデータの同期方式の構成を示すブロック図である。
【図１１】本発明の実施形態２によるコンピュータと携帯情報機器との間のデータの同期方式の電源投入スイッチを操作してから同期を開始するまでの動作を示すフローチャートである。
【符号の説明】
１００　コンピュータ
１０１　携帯情報機器載置／不載置検出部
１０２　携帯情報機器固有情報検出部
１０３　電源制御部
１０４　電源部
１０５　電源供給部
１０６　スタンバイ制御部
１０７　同期部
１０８　データ
１０９　電源切断スイッチ
１１０　スタンバイスイッチ
１１１　携帯情報機器ロック部
１１２　電源投入スイッチ
２００　携帯情報機器
２０１　携帯情報機器固有情報保持部
２０２　電源部
２０３　同期部
２０４　データ
【図１】
2004021708.tif 000003
【図２】
2004021708.tif 000004
【図３】
2004021708.tif 000005
【図４】
2004021708.tif 000006
【図５】
2004021708.tif 000007
【図６】
2004021708.tif 000008
【図７】
2004021708.tif 000009
【図８】
2004021708.tif 000010
【図９】
2004021708.tif 000011
【図１０】
2004021708.tif 000012
【図１１】
2004021708.tif 000013